(57)【要約】【課題】バックル本体を取り付ける受台を、合成樹脂材製の底板の周側壁と一体に形成しようとすると、板厚の相違などにより歪が生じ、底板の製造が困難であった。【解決手段】バックル本体５１と、このバックル本体に連結するリンク５２と、このリンクを連結する受台５３とからなるバックル５を有し、バックル本体は一端部にフック５４が形成され、他端部にリンクの一方の軸が回動自由に取り付けられたもので、軸受部５３１と基部５３２からなるリンクの受台は、この受台の基部が底板の周側壁に設けた裏溝４３に嵌め込み固定されるとともに、受台の軸受部は底板の周側壁に形成した穴から上方に突出させ、この軸受部の軸受５３３にリンクの他端に形成した軸を回動自由に取り付けてなるペットケージを提供する。【選択図】図４
2008199937.tif 000002
【特許請求の範囲】
【請求項１】
複数本の縦桟と横桟とを組み合わせてなる格子状の側板を有する底面開口状のケージ本体と、このケージ本体の底面開口を閉じる合成樹脂材製の底板と、前記した底板の周側壁に設置するバックルとを備えたペットケージであり、ケージ本体の側板を構成する横桟にバックルのフックを係合させた後、バックルのリンクを回動させることにより、横桟を底板に引き寄せてケージ本体を底板に固定する構造をなし、バックルは断面がＬ字形のバックル本体と、このバックル本体に連結するリンクと、このリンクを連結する受台とからなり、バックル本体は一端部にフックが形成され、他端部にリンクの一方の軸が回動自由に取り付けられたもので、軸受部と基部とからなるリンクを連結する受台は、この受台の基部が底板の周側壁に形成した裏溝に嵌め込み固定されるとともに、受台の軸受部は底板の周側壁の裏側に設けた穴から上方に突出させ、この軸受部の軸受にリンクの他端に設けた前記軸を回動自由に取り付けてなることを特徴とするペットケージ。
【請求項２】
バックル本体は、フックを形成した一方の板片と、リンクの一方の軸を回動自由に取り
付ける他方の板片とからなる断面がL字形の部材であり、一方の板片の先端部には適当な間隔をおいて２本の溝部が、バックル本体の回動方向に長く、フックを貫いて形成され、これら溝部にケージ本体の隣り合う縦桟が入れられ、これら溝部の左右に形成されたフックで、この隣り合う縦桟の左右に形成した横桟を係合することができるようになしたことを特徴とする、請求項１に記載のペットケージ。
【請求項３】
ケージ本体は、請求項２に記載の隣り合う縦桟の間で折り畳むことができるようになされたことを特徴とする、請求項２に記載のペットケージ。
【請求項４】
受台は、受台の基部を底板の周側壁の裏側に設けた裏溝に嵌め込むことにより固定されるが、受台の基部の側面に形成した突起を底板の周側壁に形成した通し孔に貫入させて、受台の基部が裏溝から抜け出ないようになしたことを特徴とする、請求項１ないし３のいずれか１項に記載のペットケージ。
【発明の詳細な説明】
【技術分野】
【０００１】
本発明は、格子状の側板を有する底面開口状のケージ本体と、このケージ本体の底面開口を閉じる合成樹脂材製の底板と、前記した底板の周側壁に設置したバックルとを備えたペットケージであり、ケージ本体の側板を形成する横桟にバックルのフックを係合させた後、バックルのリンクを回動させることにより、横桟を底板に引き寄せてケージ本体を底板に固定する構造をなしたペットケージに関する。
【背景技術】
【０００２】
バックル本体を取り付ける受台が合成樹脂材製の底板の周側壁に一体的に形成されたペットケージは知られている。
【０００３】
また、底板とは別に製造した受台を底板の周側壁に接着固定するものもあった。
【特許文献１】特許第３７５２４８５号公報（特開２００４−１６６６６１号公報）
【特許文献２】実公平６−４６２９２号公報
【発明の開示】
【発明が解決しようとする課題】
【０００４】
バックル本体を取り付ける受台を、合成樹脂材製の底板の周側壁と一体に形成しようとすると、板厚の相違などにより歪が生じ、底板の製造が困難であった。
【０００５】
底板とは別に製造した受台を底板の周側壁に接着固定するものもあるが、製造に手間がかかり問題があった。
【課題を解決するための手段】
【０００６】
本発明のペットケージは、複数本の縦桟と横桟とを組み合わせてなる格子状の側板を有する底面開口状のケージ本体と、このケージ本体の底面開口を閉じる合成樹脂材製の底板と、前記した底板の周側壁に設置するバックルとを備えたペットケージであり、ケージ本体の側板を構成する横桟にバックルのフックを係合させた後、バックルのリンクを回動させることにより、横桟を底板に引き寄せてケージ本体を底板に固定する構造をなし、バックルは断面がＬ字形のバックル本体と、このバックル本体に連結するリンクと、このリンクを連結する受台とからなり、バックル本体は一端部にフックが形成され、他端部にリンクの一方の軸が回動自由に取り付けられたもので、軸受部と基部とからなるリンクを連結する受台は、この受台の基部が底板の周側壁に形成した裏溝に嵌め込み固定されるとともに、受台の軸受部は底板の周側壁の裏側に設けた穴から上方に突出させ、この軸受部の軸受にリンクの他端に設けた前記軸を回動自由に取り付けてなることを特徴とする。
【０００７】
上記構成のペットケージにおいて、バックル本体は、フックを形成した一方の板片と、リンクの一方の軸を回動自由に取り付ける他方の板片とからなる断面がL字形の部材であり、一方の板片の先端部には適当な間隔をおいて２本の溝部が、バックル本体の回動方向に長く、フックを貫いて形成され、これら溝部にケージ本体の隣り合う縦桟が入れられ、これら溝部の左右に形成されたフックで、この隣り合う縦桟の左右に形成した横桟を係合することができるように構成してもよい。
【０００８】
上記構成のペットケージにおいて、ケージ本体は、上記の隣り合う縦桟の間で折り畳むことができるように構成してもよい。
【０００９】
上記構成のペットケージにおいて、受台は、受台の基部を底板の周側壁の裏側に設けた裏溝に嵌め込むことにより固定されるが、受台の基部の側面に形成した突起を底板の周側壁に形成した通し孔に貫入させて、受台の基部が裏溝から抜け出ないように構成してもよい。
【発明の効果】
【００１０】
底板と受台が別に製造されるため、製造において歪などが生じることがない。
【００１１】
受台は、基部を底板の周側壁に形成した裏溝に嵌め込むことで固定できるため、組み立てが容易である。
【００１２】
バックル本体に形成したフックで、隣り合う縦桟の左右に形成した横桟を係合することができるため、ケージ本体が底板に強く固定できる。
【００１３】
隣り合う縦桟の間で折り畳めるケージ本体であっても、底板への固定を強く行うことができる。
【発明を実施するための最良の形態】
【００１４】
次に、本発明の実施形態を図面を参照して説明する。
【００１５】
図１は、本発明のペットケージ１の全体図である。ペットケージ１は、複数本の縦桟１１と横桟１２とを組み合わせてなる格子状の側板２を有する底面開口状のケージ本体３と、このケージ本体３の底面開口を閉じる合成樹脂材製の底板４と、この底板４の周側壁４１に設置するバックル５とを備えたものである。
【００１６】
ペットケージ１は、平面視、長方形であるが、内部は２部屋に区切られ、一方がトイレ室、他方が住居室となされたものであってもよい。もちろん、ペットケージ１が、平面視、正方形であるものでもよく、内部が単室に構成されたものであってもよい。
【００１７】
ケージ本体３は、平面視長方形であると、対向する２枚の長側板２１、２１と対向する２枚の短側板２２，２２を組み合わせてなる。２枚の長側板２１，２１と２枚の短側板２２，２２はそれぞれが端部で枢着されて、平面視長方形となされており、短側板２２，２２の中央において折り畳むことができるように構成している。折り畳まれると、ケージ本体３は扁平状になり、収納や取り扱いに便利となる。以下、ケージ本体３は長方形に組み立てた状態のもので説明する。ケージ本体３の上部に、天板３１を載せる。天板３１は、ケージ本体３に対し、容易に着脱ができるようになされている。この天板３１、長側板２１、短側板２２は、いずれも複数本の縦桟１１と横桟１２とを格子状に組み合わせて形成されてなる。縦桟１１と横桟１２は、針金のような金属線材で形成されている。図中の符号２３は、側板２に設けられた犬などの出入口の扉で、符号２４は扉のロック装置である。
【００１８】
ケージ本体３の上端部には、合成樹脂材製の縁材３２を取り付ける。縁材３２の下面には溝３３が形成されている。この溝３３の内部に長側板２１，２１や短側板２２，２２の上端部を嵌め入れ、このようになした複数本の縁材３２の端部をネジ止めする。符号３５がネジで、３２１がネジ孔である。縁材３２により、ケージ本体３の上端部の横揺れなどが規制されるとともに、ケージ本体３の上端部が美的に仕上がることになる。なお、ケージ本体３の底面は開口されている。
【００１９】
底板４は、ケージ本体３の底面開口を閉じるもので、合成樹脂材製である。底板４の外周囲には断面が凸状の周側壁４１が設けられている。ケージ本体３の外周面はこの周側壁４１の内側面に沿い、ケージ本体３の下端部は底板４の底面上に載置かれる。
【００２０】
このように、ケージ本体３を底板４内に入れ置いただけでは、ペットケージとしての使用ができない。ケージ本体３を持ち上げたりすると、ケージ本体３が底板４から離れてしまい、ペットが逃げ出すこともあるからである。
【００２１】
バックル５は、ケージ本体３を底板４に固定したとき周側壁４１の上面や外側面から突出しないように、短辺側の周側壁４１の中央部に形成された凹部４２に設置する。このバックル５は、断面がＬ字形のバックル本体５１と、このバックル本体５１に連結するリンク５２と、このリンク５２を連結する受台５３とからなる。バックル本体５１には、一端部にフックが形成され、他端部近くにリンク５２の一方の軸５２１が回動自由に取り付けられる。なお、バックル５は、長片側の周側壁４１に設けるようにしていてもよい。
【００２２】
リンク５２を連結する受台５３は、軸受部５３１と基部５３２とからなる。この受台５３の基部５３２が底板４の周側壁４１の裏面に設けた裏溝４３に嵌め込み固定される。  このとき、受台５３の軸受部５３１は、底板４の周側壁４１の上面に形成した穴４３から上方に突出させている。なお、この穴４３を形成した周側壁４１の上面は、前記した凹部４２にあたるところであり、軸受部５３１の高さやバックル５の厚みなどを考慮して、周辺の周側壁４１の上面より低くなされている。このように周側壁４１から突出した軸受部５３１の軸受５３３に、リンク５２の他端に形成した軸５２２を回動自由に取り付けてなる。
【００２３】
前記した受台５３は、基部５３２を底板４の周側壁４１の裏面に設けた裏溝４３に嵌め込むことにより固定されるが、この基部５３２の側面に形成した突起５３４を、周側壁４１に形成した通し孔４４に貫入させて、基部５３２が裏溝４３から抜け出ないようになしている、基部５３２は中空で、突起５３４を形成した反対側の側面にスペーサ用の脚を突設してもよい。
【００２４】
バックル本体５１は、フック５４を形成した一方の板片５１１と、リンク５２の一方の軸５２１を回動自由に取り付ける他方の板片５１２とからなる、断面がL字形の部材である。一方の板片５１１の先端部には、適当な間隔をおいて２本の溝部５１３，５１３が、バックル本体５１の回動方向に長く、フック５４を貫いて形成されている。
【００２５】
次に、このようになるバックル５を用いて、底板４内に入れたケージ本体３を固定する方法を説明する。
【００２６】
図４に示すように、底板４の周側壁４１に受台５３を固定し、この受台５３に連結したリンク５２にバックル本体５１を連結する。リンク５２の他端は受台５３に回動自由で、バックル本体５１はリンク５２の一端に回動自由である。図５に示すように、バックル本体５１の一方の板片５１１に形成した２本の溝部５１３，５１３に、ケージ本体３の隣り合う縦桟１１０，１１０が入れられ、これら溝部５１３，５１３の左右に形成されたフック５４，５４で、この隣り合う縦桟１１０，１１０の左右に形成した横桟１２１，１２１を係合する。
【００２７】
このように、フック５４を横桟１２１に係合したのち、図６に示すように、バックル本体５１を底板４の外下に向けて回動する。リンク５２の働きで、バックル本体５１は締め付け状態に固定される。こうして、ケージ本体３は、バックル５により底板４内に固定されるのである。
【００２８】
なお、ケージ本体３を固定したとき、ケージ本体３の下部外側面は底板４の内側面に引き寄せられるとともに、その下端は底板４の底面に押し付けられる。逆に、ケージ本体３の固定を解除する場合、バックル本体５１は底板４の内上に向けて回動させればよい。つまり、図４に示す状態に戻り、フック５４から横桟１２１を外し、ケージ本体３が底板４から分離することができるようにするのである。
【００２９】
前記したように、ケージ本体３は、短側板２２，２２の中央において折り畳むことができるように構成している。図７に示すように、短側板２２は、中央に配した縦桟１１０，１１０のところで左右の２枚に分けられており、この両縦桟１１０，１１０の間で折り畳まれる。
【００３０】
バックル５のフック５４は、２本の溝部５１３，５１３に、ケージ本体３の折り畳み部分の隣り合う縦桟１１０，１１０が嵌め入れられ、両縦桟１１０，１１０の左右に形成した横桟１２１，１２１に係合させている。前記したように、ケージ本体３の上端部が、縁材３２の下面に形成した溝３３の内部に嵌め入れられていることと、このフック５４の横桟１２１，１２１への働きとが相俟って、底板４の中に収めたケージ本体３の形状が確実に保持されることになる。
【図面の簡単な説明】
【００３１】
【図１】本発明ペットケージの全体を示す斜視図である。
【図２】受台の斜視図である。
【図３】バックル本体とリンクを組み合わせた斜視図である。
【図４】バックルの動きを示す要部拡大断面図である。
【図５】同じくバックルの動きを示す要部拡大断面図である。
【図６】バックルでケージ本体を底板に固定した状態を示す要部拡大断面図である。
【図７】バックルでケージ本体を底板に固定した状態を示すケージ本体の内部から見た部分拡大斜視図である。
【図８】ケージ本体の上端部に縁材が取り付けられる状態をあらわす部分拡大斜視図である。
【図９】縁材の断面をあらわす斜視図である。
【符号の説明】
【００３２】
１              ペットケージ
１１、１１０    縦桟
１２、１２１    横桟
２              側板
２１            長側板
２２            短側板
３              ケージ本体
４              底板
４１            周側壁
４３            裏溝
５              バックル
５１            バックル本体
５１１、５１２  板片
５１３          溝
５２            リンク
５２１，５２２  軸
５３            受台
５３１          軸受部
５３２          基部
５３３          軸受
５３４          突起
５４            フック
【図１】
2008199937.tif 000003
【図２】
2008199937.tif 000004
【図３】
2008199937.tif 000005
【図４】
2008199937.tif 000006
【図５】
2008199937.tif 000007
【図６】
2008199937.tif 000008
【図７】
2008199937.tif 000009
【図８】
2008199937.tif 000010
【図９】
2008199937.tif 000011